(57)【特許請求の範囲】
【請求項１】
樹脂製容器の上部からエアを吹付けるエア吹付け部材１と、樹脂製容器の下部に設けられしかもエア吹付け部材１により落下された塵埃を吸着するための吸着性を有する布類と、を有することを特徴とする包装容器の塵埃除去装置。
【請求項２】
布類に代え、通気性を有する袋を使用した請求項１記載の包装容器の塵埃除去装置。
【請求項３】
布類に代え、粘着性テープを使用した請求項１記載の包装容器の塵埃除去装置。
【請求項４】
塵埃除去のため包装用容器を堰き止めると共に、塵埃除去後の包装用容器を収納するため袋の開口部を押さえるための起倒自在な堰き止め部材９を有することを特徴とする包装用容器の塵埃除去装置。
【発明の詳細な説明】
【０００１】
【発明の属する技術分野】
本発明は包装容器、殊に樹脂製包装容器の製造工程において、容器に付着した塵埃や異物を除去するための装置及び、塵埃除去後の包装用容器を収納する袋の開口部を押えて拡開状態を保持し、容器を袋に収納し易くするための起倒自在な堰き止め部材を有する包装用容器の塵埃除去装置に関する。
【０００２】
【従来の技術】
樹脂製包装容器の製造工程においては塵埃自体や樹脂製包装容器の表面に静電気が発生する。係る静電気等により樹脂製包装容器の表面に塵埃や異物が付着しがちであり、この塵埃や異物を除去するためにの装置が生産ラインに装備される。
【０００３】
【発明が解決しようとする課題】
係る塵埃除去装置は、樹脂製包装容器の上部周辺からエアを吹付け、塵埃を吹き飛ばすという手段を有する。ところが、この塵埃除去装置は吹き飛ばした塵埃が舞い上がり、再び容器に付着してしまうという欠点を有する。
【０００４】
そこで、樹脂製包装容器の下部等から集塵機により吹き飛ばされた塵埃を吸入除去するという方法が採られることもある。ところが係る方法には以下のような問題点がある。
【０００５】
集塵機の設置スペースにより設備が大型化してしまう。よって、塵埃除去作業に短距離スペースのみ必要な容器に対応できない。
【０００６】
高価格なものになりがちである。
【０００７】
吹付けるエアの風力と集塵機の吸入力のバランスのとりかたが難しく、容器形状によっては塵埃除去作業が行えない場合がある。
【０００８】
容器形状に応じた段取り調整作業に時間がかかり過ぎる。よって生産ラインのスピードに追従できない。また、段取り調整作業を行う専従者が必要になってくる。
【０００９】
そこで本発明は、従来例の上述の問題点を解決することが可能であると共に、塵埃除去後の包装用容器を搬送用袋に容易に収納することが可能な塵埃除去装置を提供することを目的とする。
【００１０】
【課題を解決するための手段】
上記課題を解決するための手段として請求項１記載の塵埃除去装置は、エア吹付け部材と、該エア吹付け部材により落下された塵埃を吸着する吸着性を有する布類を有する。
【００１１】
また、請求項２記載の塵埃除去装置は請求項１記載の塵埃除去装置の布類に代え、通気性を有する袋を使用し袋の編目で塵埃を捕集するという手段を採用した。
【００１２】
更に請求項３記載の塵埃除去装置は請求項１記載の塵埃除去装置の布類に代え、塵埃を粘着する粘着テープを使用するという手段を採用した。
【００１３】
以下係る解決手段が如何に作用して課題を解決するかを述べる。
【００１４】
請求項１記載の塵埃除去装置は、樹脂製容器の上部からエアを吹付け塵埃を落下させ、該塵埃を樹脂製容器の下部に設けられた吸着性を有する布類に落下させ、布類により塵埃を吸着除去するものである。
【００１５】
また、請求項２記載の塵埃除去装置は、エアによって落下せしめられた塵埃は、樹脂製容器の下部に装備されている通気性を有する袋の編目によって捕集除去され、エアのみが袋を通過していくものである。
【００１６】
また、請求項３記載の塵埃除去装置は、布類に代え、粘着テープにより落下してきた塵埃を粘着除去するものである。
【００１７】
かように、本発明では集塵機による吸入という手段を用いないこと、及び、布類、袋や粘着テープといった廉価なものを使用しでおり、且つ、スペースを取らない部材を使用していることから、従来例の有する設備の大型化、価格の高騰、エアの風力と集塵機の吸入力のバランスの取り方の困難性、多様な容器の種類に応じた段取り調整作業の手間、及び専従者の必要といった課題を解決することが可能となるのである。
【００１８】
更には請求項４記載の塵埃除去装置は、塵埃除去のため包装用容器を所定位置で堰き止めると共に、塵埃除去後の包装用容器を収納するための袋の開口部を押え、袋の拡開状態を保持するための起倒自在な堰き止め部材を構成要素として有する。
【００１９】
この堰き止め部材を起立した状態で包装用容器を堰き止め塵埃除去作業を行い、堰き止め部材を倒した状態で搬送用袋の開口部を押え、拡開した開口部から包装用容器がスムーズに挿入されていくようにするのである。かようにして塵埃除去後の包装用容器を搬送用袋に容易に収納することが可能となるのである。
【００２０】
【発明の実施の形態】
以下、本発明に係る塵埃除去装置の好ましい一実施形態につき、図面を参照しながら述べる。
【００２１】
図１は本発明に係る塵埃除去装置の一実施状態図である。本発明に係る塵埃除去装置は、その上面の平坦部に製造工程から搬送されてきた包装用容器Ａを重ね合わせて載置し、その作業を行うものである。
【００２２】
すなわち包装用容器Ａの上面を通気杆５が往復運動を行う。この通気杆５にはエア吹付け部材１及び静電気除去用ガン３が装備されている。通気杆５内にはエア導入ホース４から送られてくる圧縮エアが導入され、このエアがエア吹付け部材１から包装用容器Ａに吹付けられ包装用容器に付着した塵埃を除去するのである。
【００２３】
静電気除去用ガン３は包装用容器Ａに帯電した静電気を除去し、包装用容器Ａ同士が接合してしまうのを防止するために装備されるものである。
【００２４】
また、図示されていないがエア導入ホース４の他端はコンプレッサーに接続されており、該コンプレッサーから圧縮空気が送られていくものである。
【００２５】
通気杆５の往復運動は、図１においてはモータ６を駆動源として行う。モータ６によりスクリュー軸６ａを正逆回転させ、これにより通気杆５を支持する基台部７を往復運動させるのである。むろん通気杆５の往復運動は上述のモータ６によるものに限られるわけではなく、エアシリンダーを使用する方法その他往復運動を与え得るものであればよい。
【００２６】
包装用容器Ａが載置される塵埃除去装置の上部平坦面には、複数の長孔８が設けられている。この長孔８からエアで吹き飛ばされた塵埃が落下していくものである。
【００２７】
請求項１記載の発明では、この長孔８の下部には布類２が装備されており、吹き下ろされてくる塵埃を吸着するものである。この吸着性を有する布類としては単に布類に水分を含浸させたものでもよいし、更に吸着性を増すためには粘度の高い液体を含浸させてもよい。
【００２８】
請求項２記載の発明では布類に代え通気性を有する袋が布類２の位置に装備され、塵埃を含んだ空気は当該袋内に導入され、塵埃除去装置外に逃がされていくが、塵埃は当該袋の編目により塵埃を捕集除去するものである。
【００２９】
請求項３記載の発明では布類に代え、粘着テープが布類２の位置に装備され、塵埃を吸着除去するものである。塵埃を含んだ空気が粘着テープに当接し、塵埃は当該粘着テープにより捕集されるものである。
【００３０】
請求項４記載の発明は、本願発明に係る塵埃除去装置の上部平坦面に、起倒自在な堰き止め部材９が複数設けられている。この堰き止め部材９により包装用容器Ａを堰き止めた状態で塵埃除去作業を行うものである。この堰き止め部材９はレバー１０の操作により起倒動作を行うものである。
【００３１】
そしてこの堰き止め部材９を倒すことで、包装用容器Ａが図１における右側の平坦面に送られていくのである。この右側平坦面には搬送用袋Ｂをその開口部が堰き止め部材９側に向く状態で装着しておく。そして該堰き止め部材９を倒すと、堰き止め部材９により開口部が押さえられようにしておく。すると包装用容器Ａを搬送用袋Ｂに押入する際に搬送用袋Ｂの開口部がめくれることを防止でき、スムーズに該搬送用袋Ｂ内に包装用容器を挿入していくことが可能となるのである。
【００３２】
【発明の効果】
本発明は以上のように集塵機による吸入という手段を用いないこと、及び、布類や、袋や粘着テープといった廉価であり、且つ、スペースを取らない部材を使用していることから、従来例の有する設備の大型化、価格の高騰、エアの風力と集塵機の吸入力のバランスのとりかたの困難性、段取り調整作業に手間がかかる、その作業の専従者を要するといった課題を解決することが可能となるのである。
【００３３】
より具体的には以下のような効果がある。
【００３４】
塵埃除去作業に短距離スペースしか必要でない容器の塵埃除去作業が行えるようになる。
【００３５】
容器の形状や大小、本体と蓋等の区別なく塵埃除去作業を行える。
【００３６】
段取り調整作業に要する時間がごく僅かですむ。よって生産ラインのスピードに追従できる。
【００３７】
また、堰き止め部材を倒すと、堰き止め部材により搬送用袋の開口部が押さえられようにしてあることから、塵埃除去後の包装用容器を搬送用袋に容易に収納することが可能となるのである。
【図面の簡単な説明】
【図１】本発明の一実施状態図。
【符号の説明】
１・・エア吹付け部材
２・・布類、または通気性を有する袋、または粘着テーブ
３・・静電気除去用ガン      ４・・エア導入ホース
５・・通気杆      ６・・モータ
７・・基台部      ８・・長孔
９・・堰き止め部材      １０・・レバー
【図１】
0003553040.tif 000002